(57)【要約】【課題】リプレースが行われた薄型表示器に対してタッチ操作をした場合であっても、薄型表示器が動いてしまうことなく、ビビリ音が発生することのないせりシステムを提供すること。【解決手段】薄型表示器を机に設置するための表示器設置補助具であって、前記薄型表示器を前記机の天板の奥側辺から垂下する背面板に連結するための連結具に取り付けられ、前記背面板を前記連結具とで挟持するように前記背面板に取り付けられ、前記天板に開いているケーブル導入孔を覆い隠す形状に形成されている。【選択図】図５
2018040939.tif 000002
【特許請求の範囲】
【請求項１】
薄型表示器を机に設置するための表示器設置補助具であって、
前記薄型表示器を前記机の天板の奥側辺から垂下する背面板に連結するための連結具に取り付けられ、
前記背面板を前記連結具とで挟持するように前記背面板に取り付けられ、
前記天板に開いているケーブル導入孔を覆い隠す形状に形成されている、
ことを特徴とする表示器設置補助具。
【請求項２】
前記薄型表示器は、せり会場に設置され、せり情報を表示して、購買人のせり取引に使用される、ことを特徴とする請求項１に記載の表示器設置補助具。
【請求項３】
薄型表示器と机と前記薄型表示器を前記机に設置するための表示器設置補助具とを備えるせりシステムであって、
前記表示器設置補助具は、
前記薄型表示器を前記机の天板の奥側辺から垂下する背面板に連結するための連結具に取り付けられ、
前記背面板を前記連結具とで挟持するように前記背面板に取り付けられ、
前記天板に開いているケーブル導入孔を覆い隠す形状に形成されている、
ことを特徴とするせりシステム。
【発明の詳細な説明】
【技術分野】
【０００１】
本発明は、薄型表示器を机（テーブルともいう）に設置するための表示器設置補助具、薄型表示器と机と表示器設置補助具とを備えるせりシステムに関する。
【背景技術】
【０００２】
従来、例えば中古車等のせり会場では、せりシステムを用いて、せり（オークションまたは競売ともいう）が行われている。
【０００３】
せりシステムは、例えば、せり制御装置、応札端末装置を含む。せり制御装置は、せりの進行を制御する。応札端末装置は、応札者としての参加者による応札入力を受け付け、せり制御装置へ通知する。せりシステムでは、例えば、せり中に最も高い価格で応札した参加者を落札者として落札処理が行われ、応札が無かった場合には流札処理が行われる。
【０００４】
応札端末装置は、タッチパネル機能を有する薄型の液晶表示装置等の薄型表示器を備える。せり会場においては、参加者が使用する机の上に薄型表示器が設置されている。
【０００５】
図１は、従来のせりシステムの外観図である。図１において、（Ａ）は平面図、（Ｂ）は正面図、（Ｃ）は右側面図、（Ｄ）は正面側斜め上方から見た斜視図である。
【０００６】
せりシステムは、机１０と薄型表示器２０とを備える。
机１０は、天板１１、天板１１の奥側辺から垂下する背面板１２、天板１１および背面板１２を支持する２つの脚部材１３を備える。
【０００７】
薄型表示器２０は、せり情報を画面に表示するＬＣＤモニタと、各種操作を入力するタッチパネルとが一体形成されることにより、タッチパネル機能を有する薄型の液晶表示装置等として機能する。そして、横長形状の天板１１の上面の一部に、例えば２台の薄型表示器２０が左右に並べて載置される。
【０００８】
参加者は、薄型表示器２０に表示されたせり情報を見ながら応札入力を行う。また、参加者は、せりの対象物、例えば中古車の情報が記載された冊子等を天板１１の上面に広げて応札入力を行う。
【０００９】
このようなせりシステムは、上述したように、薄型表示器２０が机１０の天板１１の上面の一部に載置されているため、参加者が天板１１の上面の全てを使用することができない。よって、参加者からは、机１０の上（天板１１の上面）を広く使用したいとの要望がある。
【００１０】
このような要望に応えるため、薄型表示器２０のようなモニタの配置を工夫する様々な技術が開示されている（例えば、特許文献１、２、３参照。）。
【００１１】
図１を用いて説明したように、従来のせりシステムは、薄型表示器２０が机１０の天板１１の上面の一部に載置されているため、参加者が天板１１の上面の全てを使用することができない。そこで、机１０の上を広く使用できるようにするため、薄型表示器２０のリプレースが行われる。
【００１２】
図２および図３は、従来のせりシステムにおける薄型表示器のリプレースを説明するための図である。図２において、（Ａ）は平面図、（Ｂ）は正面図、（Ｃ）は右側面図、（Ｄ）は正面側斜め上方から見た斜視図である。図３は背面側斜め上方から見た斜視図である。
【００１３】
図２および図３に示すように、薄型表示器２０のリプレースが行われた従来のせりシステムは、机１０と薄型表示器２０に加え、更に連結具３０を備える。
【００１４】
連結具３０は、薄型表示器２０と背面板１２とを連結する。連結具３０は、上部で薄型表示器２０と螺子止めされ、下部で背面板１２と螺子止めされる。これにより、薄型表示器２０は、天板１１の奥側上方に位置付けられ、参加者は、机１０の上を広く使用することができる。
【００１５】
薄型表示器２０は、不図示のコントローラと接続ケーブル２１（ＲＧＢケーブル、音声ケーブル等）で接続されている。コントローラは、天板１１の下部等に設置されている。そこで、薄型表示器２０のリプレースが行われた場合、接続ケーブル２１をコントローラへ導く必要がある。
【００１６】
連結具３０は、図３に示すように、上部ケーブル導入孔３１および下部ケーブル導入孔３２を備え、接続ケーブル２１をコントローラへ導く。接続ケーブル２１は、薄型表示器２０から上部ケーブル導入孔３１を通って外部へ導かれ、更に下部ケーブル導入孔３２を通ってコントローラへ戻される。なお、背面板１２には、下部ケーブル導入孔３２の位置にほぼ同一形状の孔が開いている。
【００１７】
このような場合、薄型表示器２０のリプレース前には余り外部に露出されていなかった接続ケーブル２１は、上部ケーブル導入孔３１と下部ケーブル導入孔３２との間で、大きく外部に露出されることとなる。接続ケーブル２１が露出されていると、接触事故、悪戯等で接続ケーブル２１が切断等される虞があったり、見栄えが悪かったりする。
【００１８】
そこで、露出している接続ケーブル２１を覆い隠すため、せりシステムは、更に保護部材５０を備える。保護部材５０は、上部ケーブル導入孔３１および下部ケーブル導入孔３２を含む連結具３０と、露出している接続ケーブル２１を覆い隠す。これにより、接続ケーブル２１が切断等される虞は無くなり、見栄えも良くなる。
【００１９】
ところが、図２の（Ｄ）に示すように、天板１１は、薄型表示器２０のリプレース前に使用していたケーブル導入孔１４を有する。薄型表示器２０のリプレースにより、リプレース前の薄型表示器２０によって隠れていたケーブル導入孔１４が露出される。ケーブル導入孔１４は、接続ケーブル２１を薄型表示器２０からコントローラへ導いていた孔である。露出したケーブル導入孔１４は、見栄えが悪いという欠点だけでなく、天板１１の上面に置いた物をケーブル導入孔１４に落としてしまう虞を生じさせるという欠点を有する。
【００２０】
このような欠点を改善するためには、主に２つの改善策がある。
図４は、従来のせりシステムの改善策を説明するための図である。
【００２１】
図４において、（Ａ）は露出したケーブル導入孔を示し、（Ｂ）は第１の改善策を示し、（Ｃ）は第２の改善策を示す。
【００２２】
上述したように、薄型表示器２０をリプレースした後の天板１１には、リプレース前に使用していたケーブル導入孔１４が露出している（図４の（Ａ））。
【００２３】
そこで、第１の改善策としては、図４の（Ｂ）に示すように、孔カバー部材１５を露出したケーブル導入孔１４に嵌合させる。孔カバー部材１５は、天板１１と同一材質、同一色であることが望ましいが、必ずしも同一材質、同一色である必要はない。例えば、天板１１が木材の場合、孔カバー部材１５はプラスチックであっても良い。
【００２４】
また、第２の改善策としては、図４の（Ｃ）に示すように、ケーブル導入孔１４を有する天板１１をリプレース天板１１Ａに交換する。リプレース天板１１Ａは、天板１１が有するようなケーブル導入孔１４を有していない。
【００２５】
このような第１の改善策または第２の改善策によって、見栄えも良くなり、物をケーブル導入孔１４に落としてしまう虞が生じることもなくなり、参加者は、机１０の上をより広く使用することができる。
【先行技術文献】
【特許文献】
【００２６】
【特許文献１】特開２００４−３４５４８１号公報
【特許文献２】特開２００８−２６５７５９号公報
【特許文献３】特開２００８−２９９００２号公報
【発明の概要】
【発明が解決しようとする課題】
【００２７】
しかしながら、薄型表示器２０のリプレースが行われたせりシステムにおいて、連結具３０によって背面板１２と連結された薄型表示器２０に対してタッチ操作をした場合、薄型表示器２０が動いてしまう、という問題点があった。
【００２８】
これは、連結具３０が上部で薄型表示器２０と螺子止めされ、下部で背面板１２と螺子止めされているだけであるため、薄型表示器２０に対するタッチ操作によって、連結具３０が撓んでしまうからである。薄型表示器２０が動いてしまうと、操作がし難いばかりでなく、ビビリ音が発生することもある。
【００２９】
本発明は、上述のような実状に鑑みたものであり、リプレースが行われた薄型表示器２０に対してタッチ操作をした場合であっても、薄型表示器２０が動いてしまうことなく、ビビリ音が発生することのないせりシステムを提供することを目的とする。
【課題を解決するための手段】
【００３０】
本発明は、上記課題を解決するため、下記のような構成を採用した。
すなわち、本発明の一態様によれば、本発明の表示器設置補助具は、薄型表示器を机に設置するための表示器設置補助具であって、前記薄型表示器を前記机の天板の奥側辺から垂下する背面板に連結するための連結具に取り付けられ、前記背面板を前記連結具とで挟持するように前記背面板に取り付けられ、前記天板に開いているケーブル導入孔を覆い隠す形状に形成されていることを特徴とする。
【００３１】
また、本発明の表示器設置補助具は、前記薄型表示器が、せり会場に設置され、せり情報を表示して、購買人のせり取引に使用されることが望ましい。
【００３２】
また、本発明の一態様によれば、本発明のせりシステムは、薄型表示器と机と前記薄型表示器を前記机に設置するための表示器設置補助具とを備えるせりシステムであって、前記表示器設置補助具が、前記薄型表示器を前記机の天板の奥側辺から垂下する背面板に連結するための連結具に取り付けられ、前記背面板を前記連結具とで挟持するように前記背面板に取り付けられ、前記天板に開いているケーブル導入孔を覆い隠す形状に形成されていることを特徴とする。
【発明の効果】
【００３３】
本発明によれば、リプレースが行われた薄型表示器２０に対してタッチ操作をした場合であっても、薄型表示器２０が動いてしまうことなく、ビビリ音が発生することのない、という効果を奏する。
【図面の簡単な説明】
【００３４】
【図１】従来のせりシステムの外観図である。
【図２】従来のせりシステムにおける薄型表示器のリプレースを説明するための図（その１）である。
【図３】従来のせりシステムにおける薄型表示器のリプレースを説明するための図（その２）である。
【図４】従来のせりシステムの改善策を説明するための図である。
【図５】実施の形態におけるせりシステムを説明するための図（その１）である。
【図６】実施の形態におけるせりシステムを説明するための図（その２）である。
【図７】実施の形態におけるせりシステムを説明するための図（その３）である。
【発明を実施するための形態】
【００３５】
以下、本発明の実施の形態について、図面を参照しながら詳細に説明する。
図５、図６、図７は、実施の形態におけるせりシステムを説明するための図である。
【００３６】
図５において、（Ａ）は正面図、（Ｂ）は右側面図、（Ｃ）は右側面の一部を拡大した拡大図である。図６は正面側斜め上方から見た斜視図であり、図７は背面側斜め上方から見た斜視図である。
【００３７】
実施の形態におけるせりシステムは、薄型表示器２０のリプレースが行われたせりシステムである。せりシステムは、机１０と薄型表示器２０と連結具３０と表示器設置補助具４０とを備える。
【００３８】
机１０は、天板１１、天板１１の奥側辺から垂下する背面板１２、天板１１および背面板１２を支持する２つの脚部材１３を備える。天板１１は、薄型表示器２０のリプレース前に使用していたケーブル導入孔１４を有する。
【００３９】
薄型表示器２０は、せり情報を画面に表示するＬＣＤモニタと、各種操作を入力するタッチパネルとが一体形成されることにより、タッチパネル機能を有する薄型の液晶表示装置等として機能する。薄型表示器２０は、不図示のコントローラとＲＧＢケーブル、音声ケーブル等の接続ケーブル２１で接続されている。コントローラは、天板１１の下部等に設置されている。
【００４０】
連結具３０は、薄型表示器２０と背面板１２とを連結する。連結具３０は、上部で薄型表示器２０と螺子止めされ、下部で背面板１２と螺子止めされる。連結具３０は、図７に示すように、上部ケーブル導入孔３１および下部ケーブル導入孔３２を備え、接続ケーブル２１をコントローラへ導く。接続ケーブル２１は、薄型表示器２０から上部ケーブル導入孔３１を通って外部へ導かれ、更に下部ケーブル導入孔３２を通ってコントローラへ戻される。なお、背面板１２には、下部ケーブル導入孔３２の位置にほぼ同一形状の孔が開いている。
【００４１】
表示器設置補助具４０は、連結具３０と協同して薄型表示器２０を机１０に設置する。表示器設置補助具４０は、連結具３０に螺子止めして取り付けられ、背面板１２に螺子止めして取り付けられ、薄型表示器２０に螺子止めして取り付けられる。
【００４２】
また、表示器設置補助具４０は、天板１１に開いているケーブル導入孔１４を覆い隠す形状に形成されている、
せりシステムは、更に保護部材５０を備える。
【００４３】
保護部材５０は、上部ケーブル導入孔３１および下部ケーブル導入孔３２を含む連結具３０と、露出している接続ケーブル２１を覆い隠す。
【００４４】
上述したように、連結具３０は、上部で薄型表示器２０と螺子止めされ、下部で背面板１２と螺子止めされる。表示器設置補助具４０は、連結具３０に螺子止めして取り付けられ、背面板１２に螺子止めして取り付けられ、薄型表示器２０に螺子止めして取り付けられる。表示器設置補助具４０は、連結具３０と協同して背面板１２を挟持するように薄型表示器２０を机１０に設置する。
【００４５】
上述のようにして薄型表示器２０のリプレースが行われたことにより、露出したケーブル導入孔１４に孔カバー部材１５を嵌合させる必要もなく、ケーブル導入孔１４を有する天板１１をケーブル導入孔１４を有しないリプレース天板１１Ａに交換する必要もなく、薄型表示器２０に対して操作者がタッチ操作をした場合であっても、薄型表示器２０が動いてしまうことはなく、ビビリ音が発生することもない。
【００４６】
上述のようにしてリプレースが行われた薄型表示器２０は、せり会場に設置され、せり情報を表示して、購買人のせり取引に使用される。
【００４７】
以上、本発明の実施の形態を、図面を参照しながら説明してきたが、本発明が適用される表示器設置補助具は、前述の実施の形態に限定されない。すなわち、本発明は、以上に述べた実施の形態に限定されるものではなく、本発明の要旨を逸脱しない範囲内で種々の構成又は形状を取ることができる。
【符号の説明】
【００４８】
１０            机
１１            天板
１１Ａ          リプレース天板
１２            背面板
１３            脚部材
１４            ケーブル導入孔
１５            孔カバー部材
２０            薄型表示器
２１            接続ケーブル
３０            連結具
３１            上部ケーブル導入孔
３２            下部ケーブル導入孔
４０            表示器設置補助具
５０            保護部材
【図１】
2018040939.tif 000003
【図２】
2018040939.tif 000004
【図３】
2018040939.tif 000005
【図４】
2018040939.tif 000006
【図５】
2018040939.tif 000007
【図６】
2018040939.tif 000008
【図７】
2018040939.tif 000009